(57)【特許請求の範囲】
【請求項１】
戸袋から出し入れされて出入口を開閉すると共に、戸尻側の端面から突出可能に配置された戸当りを有する戸袋用引戸建具であって、
前記戸当りは、前記引戸建具の戸尻側部分に前記引戸建具を厚さ方向に横切って設けられた回転軸に接合されており、前記戸当りは、前記引戸建具の側面からの前記回転軸の回転操作によって、前記引戸建具の戸尻側部分の内部に格納された立設状態と、前記引戸建具の戸尻側の端面から先端部を突出させた横倒れ展開状態とを切り替えることができるようになっている戸袋用引戸建具。
【請求項２】
前記引戸建具の戸尻側部分に、前記戸当りを立設状態で格納可能な格納ボックスが内設されており、前記回転軸は、該格納ボックスを厚さ方向に貫通すると共に、該格納ボックスの両側の側面板に両端部が回転可能に支持されることにより、前記引戸建具を厚さ方向に横切って設けられており、前記引戸建具の戸尻側の端面に沿って配設された前記格納ボックスの開口面を介して、横倒れ展開状態の前記戸当りを前記戸尻側の端面から突出させるようになっている請求項１に記載の戸袋 用引戸建具。
【請求項３】
前記戸当りは、前記回転軸に接合される基端スリーブ部と、該基端スリーブ部に対して摺動可能に取り付けられる戸当り本体部とからなり、前記基端スリーブ部の内部に、前記戸当り本体部が方立に衝突する際の衝撃を吸収するダンパー機構を備えている請求項１又は２に記載の戸袋用引戸建具。
【請求項４】
前記回転軸よりも戸尻側に、前記戸当りを下方から支持して、前記戸当りの横倒れ展開状態を補助する展開補助部材が設けられている請求項１〜３のいずれか１項に記載の戸袋用引戸建具。
【請求項５】
前記回転軸よりも上方に、前記戸当りが回転するのを阻止して、前記戸当りの立設状態が保持されるように補助する回転防止部材が開放可能に設けられている請求項１〜４のいずれか１項に記載の戸袋用引戸建具。
【発明の詳細な説明】
【技術分野】
【０００１】
本発明は、戸袋用引戸建具に関し、特に、戸袋から出し入れされて出入口を開閉すると共に、戸尻側の端面から突出可能に配置された戸当りを有する戸袋用引戸建具に関する。
【背景技術】
【０００２】
例えば住宅建物の内部において、隣接する部屋と部屋との間を仕切る仕切壁に開口形成された出入口を開閉するための建具として、溝やレールに沿って引き滑らせながら出入口を開閉する引戸が多用されている。引戸は、丁番等の金物を軸として回転する形式で出入口を開閉する開戸と比較して、出入口を開閉する際の戸の占有領域を小さくすることができ、これによって建物の内部の空間をより有効に活用できるようにする。
【０００３】
また、引戸は、出入口を開放した状態において当該引戸を仕切壁の内部に設けた戸袋に収容することにより、出入口と隣接する部分の仕切壁を、例えば家具や装飾品等を立て掛けたり飾ったりするためのインテリア用の壁として有効利用できるようにすると共に、出入口の周囲の外観をすっきりとしたものとすることできる。
【０００４】
一方、引戸は、戸先側の側面に凹陥部として形成された引手に手や指を係止して、引き出し操作や引き込み操作を行うことになるが、出入口の全体を開放する際に、引手に係止した手や指が、例えば仕切壁の出入口側の端面と引手との間に挟まれるおそれがある。このため、引戸の戸尻側の端面から戸当りを突出させ、この戸当りを方立や戸枠に当接させることにより、引手が例えば仕切壁の出入口側の端面を超えるまで、引戸が引き込まれないようにする工夫がなされている。また、戸当りの先端に弾性材料等からなるクッション部材を取り付けておくことにより、引戸が引き込まれて方立や戸枠に衝突する際の衝撃や音を緩和するようになっている。
【０００５】
さらに、引戸に戸当りを設けた場合、出入口の全体を開放することができなくなることから、戸当りを着脱可能としたり、戸当りの突出長さを切換え可能として、出入口の全体を開放させることが可能な状態と、引手の部分が仕切壁や他の引戸の出入口側の端面を超えないようにする状態とを、適宜選択できるようにした技術も開発されている（例えば、特許文献１、特許文献２参照）。
【特許文献１】特開平１０−７２９６９号公報
【特許文献２】特開２００３−６４９３７号公報
【発明の開示】
【発明が解決しようとする課題】
【０００６】
しかしながら、特許文献１や特許文献２の、戸当りを着脱可能としたり、戸当りの突出長さを切換え可能とした技術では、いずれも、引戸の少なくとも一方の側面が常時開放された状態となっている、いわゆる引違い戸を構成する引戸を対象とするものであり、特許文献１や特許文献２の戸当りを、戸袋から出し入れされて出入口を開閉する引戸に適用することは困難である。
【０００７】
すなわち、戸袋から出し入れされる引戸は、出入口の戸袋とは反対側の枠部材（引込方立）に戸先側の端面が当接するまで引き出されて出入口を閉塞した状態においても、戸尻側端部が戸袋内に僅かに食い込んで配置されて出入口の遮光機能や遮音機能が効果的に得られるようになっていることから、戸当りを戸尻側の端面に着脱したり付替える作業を行うためには、戸袋を一単端解体して引戸を取り外したり、これらを再設置する必要を生じ、多くの手間を要することになる。
【０００８】
本発明は、このような戸袋から出し入れされる引戸に特有の技術的課題に着目してなされたものであり、戸袋を解体することなく、引戸の戸尻側の端面から戸当りが突出した状態と突出しない状態とを、側面からの作業によって容易に切換えることのできる戸袋用引戸建具を提供することを目的とする。
【課題を解決するための手段】
【０００９】
本発明は、戸袋から出し入れされて出入口を開閉すると共に、戸尻側の端面から突出可能に配置された戸当りを有する戸袋用引戸建具であって、前記戸当りは、前記引戸建具の戸尻側部分に前記引戸建具を厚さ方向に横切って設けられた回転軸に接合されており、前記戸当りは、前記引戸建具の側面からの前記回転軸の回転操作によって、前記引戸建具の戸尻側部分の内部に格納された立設状態と、前記引戸建具の戸尻側の端面から先端部を突出させた横倒れ展開状態とを切り替えることができるようになっている戸袋用引戸建具を提供することにより、上記目的を達成したものである。
【００１０】
そして、本発明の戸袋用引戸建具では、前記引戸建具の戸尻側部分に、前記戸当りを立設状態で格納可能な格納ボックスが内設されており、前記回転軸は、該格納ボックスを厚さ方向に貫通すると共に、該格納ボックスの両側の側面板に両端部が回転可能に支持されることにより、前記引戸建具を厚さ方向に横切って設けられており、前記引戸建具の戸尻側の端面に沿って配設された前記格納ボックスの開口面を介して、横倒れ展開状態の前記戸当りを前記戸尻側の端面から突出させるようになっていることが好ましい。
【００１１】
また、本発明の戸袋用引戸建具では、前記戸当りは、前記回転軸に接合される基端スリーブ部と、該基端スリーブ部に対して摺動可能に取り付けられる戸当り本体部とからなり、前記基端スリーブ部の内部に、前記戸当り本体部が方立に衝突する際の衝撃を吸収するダンパー機構を備えていることが好ましい。
【００１２】
さらに、本発明の戸袋用引戸建具では、前記回転軸よりも戸尻側に、前記戸当りを下方から支持して、前記戸当りの横倒れ展開状態を補助する展開補助部材が設けられていることが好ましい。
【００１３】
さらにまた、本発明の戸袋用引戸建具では、前記回転軸よりも上方に、前記戸当りが回転するのを阻止して、前記戸当りの立設状態が保持されるように補助する回転防止部材が開放可能に設けられていることが好ましい。
【発明の効果】
【００１４】
本発明の戸袋用引戸建具によれば、戸袋を解体することなく、引戸の戸尻側の端面から戸当りが突出した状態と突出しない状態とを、側面からの作業によって容易に切換えることができる。
【発明を実施するための最良の形態】
【００１５】
本発明の好ましい一実施形態に係る戸袋用引戸建具１０は、図１（ａ），（ｂ）及び図２（ａ），（ｂ）に示すように、例えば住宅建物の内部における、隣接する居室部間の仕切壁１１に開口形成された縦長矩形形状の出入口１２を、開閉可能に仕切るための建具として用いられるものである。また本実施形態の戸袋用引戸建具１０は、出入口１２及び戸袋１３の上枠１４ａや下枠１４ｂに設けられたガイド溝やガイドレールに案内されて、仕切壁１１の面方向に沿って、出入口１２の側方に設けられた戸袋１３から出し入れ可能にスライド移動することにより、出入口１２を開閉する。そして、本実施形態の戸袋用引戸建具１０は、出入口１２を開放する際に、引戸建具１０の略全体を戸袋１３に引き込んで出入口１２の略全域を開放させることが可能な状態と、図２（ａ），（ｂ）に示す、引手１５の部分が、仕切壁１１の出入口１２側の端面１１ａを超えて戸袋１３に引き込まれないようにする状態とを、容易に切換えることができるようにするために採用されたものである。
【００１６】
すなわち、本実施形態の戸袋用引戸建具１０は、戸袋１３から出し入れされて出入口１２を開閉すると共に、戸尻１０ａ側の端面１６ａから突出可能に配置された戸当り１７（図２（ａ），（ｂ）参照）を有する引戸建具であって、戸当り１７は、引戸建具１０の戸尻１０ａ側部分に引戸建具１０を厚さ方向に横切って設けられた回転軸１８に接合されており、戸当り１７は、引戸建具１０の側面１６ｃからの回転軸１８の回転操作によって、図３にも示すように、引戸建具１０の戸尻１０ａ側部分の内部に格納された立設状態と、引戸建具１０の戸尻１０ａ側の端面１６ａから先端部１７ａを突出させた横倒れ展開状態とを切り替えることができるようになっている。
【００１７】
また、本実施形態では、引戸建具１０の戸尻１０ａ側部分に、戸当り１７を立設状態で格納可能な格納ボックス２０が内設されており、回転軸１８は、この格納ボックス２０を厚さ方向に貫通すると共に、格納ボックス２０の両側の側面板２０ａに両端部が回転可能に支持されることにより、引戸建具１０を厚さ方向に横切って設けられており、引戸建具１０の戸尻１０ａ側の端面１６ａに沿って配置された格納ボックス２０の開口面２０ｂを介して、横倒れ展開状態の戸当り１７を戸尻１０ａ側の端面１６ａから突出させるようになっている。
【００１８】
本実施形態では、仕切壁１１には、例えば上枠１４ａ、下枠１４ｂ、戸袋方立１９ａ、及び引込方立１９ｂが、矩形枠状に組み付けられた状態で取り付けられていて、出入口１２及び戸袋１３（戸袋壁２４）が設けられる矩形領域２３を区画している。この矩形領域２３を左右に分割した一方の略半部の部分は、出入口１２として開口すると共に、これに隣接する他方の略半部の部分には、一対の戸袋壁２４によって挟まれて、奥部が袋小路状に閉塞された中空の収納部分である戸袋１３が、引戸建具１０を出し入れ可能に設けられている。
【００１９】
なお、本実施形態では、上枠１４ａ及び下枠１４ｂには、各一本のガド溝が彫り込み形成されており、このガイド溝に案内させつつ、一枚の引戸建具１０をスライド移動することにより戸袋１３から出し入れして、出入口１２をスムーズに開閉できるようになっている。
【００２０】
本実施形態の戸袋用引戸建具１０は、例えば複数の縦桟と横桟とを枠部材として縦横に配置した骨組構造の表裏面に、化粧用合板を取り付けてなるフラッシュ構造を備えており、縦幅１８００〜２４００ｍｍ、横幅６００〜１２００ｍｍ、厚さ３０〜４０ｍｍ程度の大きさの、側面１６ｃが矩形形状となったパネル状の建具である。戸袋用引戸建具１０は、例えば戸車によって支持された状態で、上枠１４ａ及び下枠１４ｂに設けられたガイド溝に沿ってスライド移動することにより、出入口１２を開閉するようになっている。
【００２１】
また、戸袋用引戸建具１０は、その横幅が、出入口１２の横幅よりも１０〜４０ｍｍ程度長く形成されており、これによって被り寸法を確保できるようになっている。引戸建具１０を出入口１２に設置する際には、例えば戸袋１３の開口端面（仕切壁１１の出入口１２側の端面１１ａ）に近接する部分の一方の戸袋壁２４を切り欠いておき、引戸建具１０の戸尻１０ａ側の端部が戸袋１３内にかかるようにして、引戸建具１０を出入口１２に配置する。しかる後に、上述の一方の戸袋壁２４の切欠き部分に、例えば引込目地棒２１を取り付ける。これによって、引戸建具１０は、出入口１２を挟んで戸袋１３の開口端面と対向配置された引込方立１９ｂにその戸先１０ｂ側の端面１６ｂが当接するまで引き出されて、出入口１２を閉塞した状態においては（図１（ａ）参照）、上述の被り寸法によって、戸尻１０ａ側の端部が戸袋１３内に僅かに食い込んだ状態で配置されることになる。これによって、出入口１２を引戸建具１０によって閉塞した際の遮光機能や遮音機能が効果的に発揮されることになる。
【００２２】
そして、本実施形態では、引戸建具１０の戸尻１０ａ側部分の下端部に、格納ボックス２０が取り付けられていることにより、戸当り１７が、戸尻１０ａ側の端面１６ａから突出可能に配置されている。
【００２３】
格納ボックス２０は、例えば金属材料や合成樹脂材料からなり、図３に示すように、１つの面が開口面２０ｂとなった縦長中空の略六面体形状に形成される。また格納ボックス２０は、開口面２０ｂと垂直な表裏の一対の側面板２０ａが、戸袋用引戸建具１０の表裏の面を構成する一対の化粧用合板の間の間隔部分に収まるような間隔をおいて配置されている。そして、これらの一対の側面板２０ａに両端を支持されて、回転軸１８が格納ボックス２０に回転可能に取り付けられている。
【００２４】
回転軸１８は、例えば金属材料や合成樹脂材料からなる円柱ロッド状の部材である。回転軸１８は、例えば格納ボックス２０の一対の側面板２０ａに開口形成された支持穴２５に、両端の係止凸部１８ａを各々係止することにより、当該係止凸部１８ａの端面を側面板２０ａの外側に露出させた状態で、格納ボックス２０を厚さ方向に貫通して一対の側面板２０ａの間に回転可能に架設される。また、係止凸部１８ａの端面には、例えば−形状や＋形状の係止溝が切り込み形成されており、これらの係止溝に回転工具を係止して、格納ボックス２０の外側からの操作によって、回転軸１８を回転させることができるようになっている。また、この回転軸１８には、その中央部分に一体接合されて、戸当り１７の基端スリーブ部２２ａが取り付けられている。
【００２５】
本実施形態では、戸当り１７は、回転軸１８に接合される基端スリーブ部２２ａと、基端スリーブ部２２ａの先端部分に連結される戸当り本体部２２ｂとからなり、戸当り本体部２２ｂの先端部分には、例えばゴム製のクッション部材２６が取り付けられている。戸当り１７は、回転軸１８の回転操作によって、図３に示すように、格納ボックス２０の内部に格納された立設状態と、格納ボックス２０の開口面２０ｂを介して先端部１７ａを引戸建具１０の戸尻１０ａ側の端面１６ａから突出させた横倒れ展開状態とを、切り替えることができるようになっている。
【００２６】
また、本実施形態では、戸当り本体部２２ｂは、例えば雄ネジ部を基端スリーブ部２２ａの雌ネジ部に螺合して基端スリーブ部２２ａに連結されており、これらの螺合量を調整することにより、図４に示すように、戸当り１７の先端部１７ａの、引戸建具１０の戸尻１０ａ側の端面１６ａからの突出長さを適宜調整することができるようになっている。
【００２７】
なお、本実施形態では、引戸建具１０が戸袋１３に引き込まれて戸当り１７が戸袋方立１９ａに衝突する際の衝撃や音をさらに効果的に緩和できるようにするために、基端スリーブ部２２ａに対して戸当り本体部２２ｂを摺動可能に取り付けると共に、基端スリーブ部２２ａの内部に、戸当り本体部２２ｂが戸袋方立１９ａに衝突する際の衝撃を吸収するダンパー機構２７を設けておくこともできる。
【００２８】
ダンパー機構２７としては、例えば図５（ａ）に示すように、基端スリーブ部２２ａの底面と戸当り本体部２２ｂの端面との間にバネ部材２８を設けたものや、図５（ｂ）に示すように、基端スリーブ部２２ａの底面と戸当り本体部２２ｂの端面の各々に、同じ極性の磁石２９を取り付けたものを採用することができる。
【００２９】
また、本実施形態では、図６に示すように、回転軸１８よりも戸尻１０ａ側に、戸当り１７を下方から支持して、戸当り１７の横倒れ展開状態を補助する展開補助部材３０を設けておくことが好ましく、また、回転軸１８よりも上方に、戸当り１７が回転するのを阻止して、戸当り１７の立設状態が保持されるように補助する回転防止部材３１を開放可能に設けておくことが好ましい。
【００３０】
ここで、展開補助部材３０としては、図７（ａ），（ｂ）にも示すように、例えば格納ボックス２０の底面板２０ｃから、回転軸１８と略同じ高さとなるように立設すると共に、上辺部分の中央に凹状の着座部３２を設けたプレート部材３３を用いることができる。プレート部材３３の着座部３２と回転軸１８とによって、戸当り１７を２点で支持することにより（図６参照）、戸当り１７が横倒れした状態を安定して保持することが可能になる。
【００３１】
回転防止部材３１としては、例えば図８（ａ），（ｂ）にも示すように、格納ボックス２０の一方の側面板２０ａから格納ボックス２０の内側に、挿入孔を介して進退可能に挿通される芯材３４と、芯材３４の一端部に取り付けられたフランジ板３５と、芯材３４を中心軸部分に配置した状態で、フランジ板３５と格納ボックス２０の内側面との間に設けられたスプリング部材３６と、スプリング部材３６の外周を覆う可撓性カバー部材３７とからなるものを用いることができる。
【００３２】
この回転防止部材３１では、スプリング部材３６を伸長させ、格納ボックス２０の一対の側面板２０ａの間を横切って回転防止部材３１が配置されることにより、立設状態にある戸当り１７が回転して横倒れするのを阻止する状態から（図６、図７（ａ）、図８（ａ）参照）、図７（ｂ）及び図８（ｂ）に示すように、格納ボックス２０の外側からの操作によって、スプリング部材３６の付勢力に抗して、芯材３４を外側に引き出すことにより回転を阻止した状態を開放し、回転軸１８の回転操作によって、戸当り１７を横倒れ展開状態とするすることが可能になる（図６参照）。
【００３３】
本実施形態では、格納ボックス２０は、引戸建具１０の戸尻１０ａ側部分の例えば下端部分に、表裏の一対の側面板２０ａを引戸建具１０の表裏の一対の化粧用合板に沿わせつつ、これらの間にはめ込むようにして取り付けられる。また、格納ボックス２０は、その開口面２０ｂを、引戸建具１０の戸尻１０ａ側の端面１６ａに沿って配設した状態で取り付けられる。これらによって、回転軸１８は、引戸建具１０を厚さ方向に横切って設けられると共に、横倒れ展開状態の戸当り１７は、その先端部１７ａを、開口面２０ｂを介して戸尻１０ａ側の端面１６ａから突出させることになる。また、回転軸１８の＋又は−の係止溝が形成された係止凸部１８ａの端面は、例えば化粧用合板の下端部に開口形成された操作穴を介して、引戸建具１０の側面１６ｃに表出することになる。
【００３４】
そして、上述の構成を備える本実施形態の戸袋用引戸建具１０によれば、戸袋１３を解体することなく、引戸建具１０の戸尻１０ａ側の端面から戸当り１７が突出した状態と突出しない状態とを、側面１０ｃからの作業によって容易に切換えることができる。
【００３５】
すなわち、本実施形態の戸袋用引戸建具１０によれば、戸当り１７は、引戸建具１０の戸尻１０ａ側部分に設けられた回転軸１８に接合されており、引戸建具１０の側面１６ｃからの回転軸１８の回転操作によって、引戸建具１０の内部に格納された立設状態と、引戸建具１０の戸尻１０ａ側の端面１６ａから先端部１７ａを突出させた横倒れ展開状態とを切り替えることができるようになっている。したがって、図１（ａ）に示すように、出入口１２を閉塞した状態とすれば、回転軸１８の＋又は−の係止溝が形成された係止凸部１８ａの端面は、引戸建具１０の戸尻１０ａ側部分の下端部分において、戸袋１３の内部に位置することなく引戸建具１０の側面１６ｃに表出するので、この係止溝に回転工具を係止して、戸袋１３を解体することなく、側面１０ｃからの作業によって、戸当り１７の立設状態と横倒れ展開状態とを容易に切り替えることが可能になる。
【００３６】
また、これによって、戸袋１３から出し入れされる引戸建具１０に対しても、戸当り１７を機能させないで、出入口１２の全体を開放させることが可能な状態と、戸当り１７を機能させて、引手１５の部分が仕切壁１１の出入口１２側の端面１１ａを超えて戸袋１３に引き込まれないようにする状態とを、適宜容易に切換えることが可能になる。
【００３７】
なお、本発明は上記実施形態に限定されることなく種々の変更が可能である。例えば、回転軸や戸当りは、格納ボックスを介して引戸建具の戸尻側部分に設ける必要は必ずしもなく、例えば引戸建具を構成する一対の化粧用合板に直接支持させて設けることもできる。また、戸当りは、引戸建具の戸尻側の端面の下端部のみならず、上端部や、中間部分に設けることもできる、さらに、戸当りを複数設けることもできる。
【図面の簡単な説明】
【００３８】
【図１】（ａ）は、本実施形態の好ましい一実施形態に係る戸袋用引戸建具を用いた出入り口部分の閉塞状態の正面図、（ｂ）は、（ａ）のＡ−Ａに沿った断面図である。
【図２】（ａ）は、本実施形態の好ましい一実施形態に係る戸袋用引戸建具を用いた出入り口部分の開放状態の正面図、（ｂ）は、（ａ）のＢ−Ｂに沿った断面図である。
【図３】本実施形態の好ましい一実施形態に係る戸袋用引戸建具の格納ボックス部分の拡大側面図である。
【図４】戸当りの長さを調整可能とした状態の説明図ある。
【図５】（ａ），（ｂ）は、ダンパー機構を例示する略示断面図である。
【図６】展開補助部材及び回転防止部材を取り付けた状態の格納ボックスの略示断面図である。
【図７】（ａ）は、展開補助部材及び回転防止部材を取り付けた状態の格納ボックスの略示斜視図、（ｂ）は、回転防止部材を開放した状態の略示斜視図である。
【図８】（ａ），（ｂ）は、回転防止部材を開放する操作を説明する部分断面図である。
【符号の説明】
【００３９】
１０  戸袋用引戸建具
１０ａ  戸袋用引戸建具の
１０ｂ  戸袋用引戸建具の
１１  仕切壁
１１ａ  仕切壁の出入口側の端面
１２  出入口
１３  戸袋
１４ａ  上枠
１４ｂ  下枠
１５  引手
１６ａ  戸袋用引戸建具の戸尻側の端面
１６ｂ  戸袋用引戸建具の戸先側の端面
１６ｃ  戸袋用引戸建具の側面
１７  戸当り
１７ａ  戸当りの先端部
１８  回転軸
１８ａ  回転軸の係止凸部
１９ａ  戸袋方立
１９ｂ  引込方立
２０  格納ボックス
２０ａ  格納ボックスの側面板
２０ｂ  格納ボックスの開口面
２１  引込目地棒
２２ａ  戸当りの基端スリーブ部
２２ｂ  戸当りの戸当り本体部
２７  ダンパー機構
３０  展開補助部材
３１  回転防止部材
【図１】
0005069993.tif 000002
【図２】
0005069993.tif 000003
【図３】
0005069993.tif 000004
【図４】
0005069993.tif 000005
【図５】
0005069993.tif 000006
【図６】
0005069993.tif 000007
【図７】
0005069993.tif 000008
【図８】
0005069993.tif 000009